(57)【要約】【課題】手をオイルで汚したり、またオイルで周囲を汚すこともなく、使用済のオイルフィルタを効率的に解体することのできる装置を提供する。【解決手段】解体装置１１は、上面に作業部１２を、内部下方に解体済オイルフィルタ１を収容可能とする収容部１３を備えた筺体１４を備える。筺体１４の前面には開閉扉１６が備えられ、開閉扉１６を開けることで収容部１３を前面側から臨むことができる。矢印θ方向に回動可能とされる回動ホルダ１９の他側片１９Ｂの下面には、オイルフィルタ１を矢印方向に保持させる保持部３３が備えられる。該保持されたオイルフィルタ１は、回動ホルダ１９の他側片１９Ｂの保持部３３を筺体１４内の収容部１３と上下に対向させるよう、回動ホルダ１９を図１から図２に示す状態に回動される。続いて、カッタ３４により、該オイルフィルタ１を筺体１４内で切断し、解体可能とする。【選択図】　　図１
2004001150.tif 000002
【特許請求の範囲】
【請求項１】
全体有底円筒形状とされるフィルタケースの軸線方向の一端に形成される円形の開口より、内部に全体略ボビン形状のフィルタ本体を、軸線方向がフィルタケースの軸線方向に対応するように挿入して収容させ、該開口を全体略円形で中心にオイルの吐出口を、その周部にオイルの吸入口を備えた蓋体で閉塞してなるオイルフィルタで、その使用済のものを解体するためのオイルフィルタの解体装置において、
全体函状とされ、上面に作業部を、内部下方に解体されるオイルフィルタを収容可能とする収容部をそれぞれ備え、作業部上面には下方に収容部を臨む状態で形成される開口部を備える筺体と、
筺体上部の開口部に、収容部に対向する方向に回動可能に指示され、収容部への対向側に解体前のオイルフィルタの一端蓋体側を保持可能とする保持部を備え、収容部に対する離隔方向である一側への回動状態における回動端において、上記保持部は開口部より上方に露出され、この状態で保持部に対して解体前のオイルフィルタを保持させるとともに、収容部に対する近接方向である他側への回動状態における回動端において、オイルフィルタを保持する保持部は筺体の内部の収容部に対向する状態で臨み、オイルフィルタは蓋体の対向部を下方とする状態で開口より下方のレベルに位置決め可能とする回動ホルダと、
筺体内部において、上記回動ホルダが他側へ回動される回動端において、保持部に保持される解体前のオイルフィルタの蓋体下方位置に対向する状態で配置され、該回動端において位置決めされたオイルフィルタの蓋体下方位置におけるフィルタケースを周方向に切断し、フィルタケースの該切断部分より下方並びに内部に収容されるフィルタ本体を筺体内部の収容部へ落下させ、収容可能とする切断装置と、
を備えることとしてなるオイルフィルタの解体装置。
【請求項２】
回動ホルダにおける保持部は、フィルタケースの軸線方向一端側の蓋体中心に形成されるオイルの吐出口に挿入され、オイルフィルタの全体を保持可能とする挿入シャフトを備える請求項１に記載のオイルフィルタの解体装置。
【請求項３】
回動ホルダは筺体上部の開口部を、他側への回動状態における回動端で少なくともその一領域を閉め、一方、一側への回動状態における回動端で筺体上面の作業部より立ち上がる板状体とされ、保持部は板状体の他側への回動端における下面に備えることとしてなる請求項１または２のいずれかに記載のオイルフィルタの解体装置。
【請求項４】
切断装置は、回動ホルダが他側へ回動される回動端において、保持部に保持される解体前のオイルフィルタの蓋体下方位置に対向する位置に回転刃を備えるカッタとされ、保持部に保持される状態で位置決めされるオイルフィルタはカッタの回転刃と相対的に接離し、かつカッタの回転刃とオイルフィルタはフィルタケースの軸線を中心に周方向に相対的に回転可能とされるものである請求項１ないし３のいずれかに記載のオイルフィルタの解体装置。
【請求項５】
回動ホルダは筺体上部の開口部に、収容部に対向する方向に回動可能に支持される支持体と、支持体に対し、支持体が他側へ回動される回動端において、カッタの回転刃に対する対向方向にスライド可能に支持され、かつ収容部に対する対向側に保持部を備えるスライド体とからなり、さらに収容部には保持するオイルフィルタをフィルタケース軸線回りに回転可能とする回転操作部を備え、回動ホルダが他側へ回動される回動端において、スライド体を支持体に対してスライドさせ、保持部に保持されるオイルフィルタをカッタの回転刃と接離可能とするとともに、カッタの回転刃に対してオイルフィルタを回転操作部によりフィルタケースの軸線を中心に周方向に回転させ、オイルフィルタの蓋体下方位置におけるフィルタケースの周方向を切断可能とする請求項４に記載のオイルフィルタの解体装置。
【請求項６】
筺体の内部の収容部は、筺体内部に格納可能とされ、上方より解体されるオイルフィルタを落下して収容可能とする収容函とされる請求項１ないし５のいずれかに記載のオイルフィルタの解体装置。
【請求項７】
全体有底円筒形状とされるフィルタケースの軸線方向の一端に形成される円形の開口より、内部に全体略ボビン形状のフィルタ本体を、軸線方向がフィルタケースの軸線方向に対応するように挿入して収容させ、該開口を全体略円形で中心にオイルの吐出口を、その周部にオイルの吸入口を備えた蓋体で閉塞してなるオイルフィルタで、その使用済のものを解体するためのオイルフィルタの解体装置において、
全体函状とされ、上面に作業部を、内部下方に解体されるオイルフィルタを収容可能とする収容部をそれぞれ備え、作業部上面には下方に収容部を臨む状態で形成される開口部を備える筺体と、
筺体上部の開口部に、収容部に対向する方向に回動可能に指示され、収容部への対向側に解体前のオイルフィルタの一端蓋体側を保持可能とする保持部を備え、収容部に対する離隔方向である一側への回動状態における回動端において、上記保持部は開口部より上方に露出され、この状態で保持部に対して解体前のオイルフィルタを保持させるとともに、収容部に対する近接方向である他側への回動状態における回動端において、オイルフィルタを保持する保持部は筺体の内部の収容部に対向する状態で臨み、オイルフィルタは蓋体の対向部を下方とする状態で開口より下方のレベルに位置決め可能とする回動ホルダと、
筺体内部において、上記回動ホルダが他側へ回動される回動端において、保持部に保持される解体前のオイルフィルタの蓋体下方位置に対向する状態で配置され、該回動端において位置決めされたオイルフィルタの蓋体下方位置におけるフィルタケースを周方向に切断し、フィルタケースの該切断部分より下方並びに内部に収容されるフィルタ本体を筺体内部の収容部へ落下させ、収容可能とする切断装置と、
を備えるとともに、
作業部の上面には、収容部に収容された全体略ボビン形状からなるフィルタ本体を、その軸線を略水平方向に対応させる状態で載置し、位置決めする載置部と、
載置部の上方に配設され、載置部に載置し、位置決めされるフィルタ本体のうち、軸線方向に沿ってその中心に配設され、複数の孔を備える多孔管体の外周に配設され、多孔管体の軸線方向各端部に取着される円形の支持板にそれぞれ結合されるろ材の該結合部に向けて、切断刃を昇降させ、ろ材を支持板並びに多孔管体より分離可能とするろ材切断装置と、
を備えることとしてなるオイルフィルタの解体装置。
【発明の詳細な説明】
【０００１】
【発明の属する技術分野】
本発明は、使用済のオイルフィルタを解体し、リサイクル可能とするためのオイルフィルタの解体装置に関する。
【０００２】
【従来の技術】
自動車においては、循環されるオイルを浄化するためのオイルフィルタが取り付けられ、このオイルフィルタは定期的に交換されるところである。オイルフィルタには様々なタイプのものが存在するが、その多くは特開平１１−２８３１８号に示すように、全体有底円筒形状とされるフィルタケースを備える。こうして形成されるフィルタケースの軸線方向一端の円形の開口からは、その内部に全体略ボビン形状のフィルタ本体が軸線方向を、ケースの軸線方向に対応させる状態で挿入され、収容される。
【０００３】
フィルタ本体は軸線方向に沿ってその中心に多孔管体が配設され、さらに多孔管体の軸線方向各端部には、円形の支持板がそれぞれ取着され、全体略ボビン形状をなす。さらに多孔管体の軸回り外周には波形状に折り畳まれて、管体回りで放射方向に突出されるろ材が配設され、該ろ材の軸線方向での各端部は支持板に対して結合される。
【０００４】
内部にフィルタ本体を収容してなるフィルタケースの開口は、全体略円形で、中心にオイルの吐出口を、その周部にオイルの吸入口を備えた蓋体で閉塞される。こうして形成されるオイルフィルタは、自動車においてのオイル循環路において吸入口をオイルの排出側に、吐出口をオイル供給側に接続し、セットされる。そして吸入口から吸入されるオイルをフィルタケース内部の外周側に流入させ、フィルタ本体のろ材を透過させて多孔管体内から吐出口へと流出させて循環されるオイルを浄化することを可能にしている。
【０００５】
ところで、上記のようにして形成されるオイルフィルタは、フィルタケース、蓋体が金属製とされる他、フィルタ本体の多孔管体並びに支持板も金属製とされる。また多孔管体の周部に配設されるろ材は通常紙製とされ、オイルフィルタはこのように紙材と金属材とにより形成されるため、使用済のオイルフィルタの金属材を再利用するためには、オイルフィルタを解体し、ろ材を取り除かなければならなかった。
【０００６】
すなわち、オイルフィルタは、金属材部分を再利用するには面倒な分解作業が伴う他、加熱解体すると密封缶であり、爆発するため、多くの整備工場などでは交換時にリサイクル不能なゴミとして廃棄されていたが、最近では環境問題から、ゴミの減量化が整備工場などにおいても求められている。
【０００７】
そこで最近では、特開２０００−１９８０１７号に示されるオイルフィルタの解体装置の他、多く解体装置や解体具が提案されている。特開２０００−１９８０１７号の解体装置は有底円筒形状のフィルタケースの軸線方向一端側に取着される蓋体（パンチングプレート）の最外周位置を缶切りの要領で切断可能とするものであり、これにより、内部のフィルタ本体を取り出すようにするものである。
【０００８】
【発明が解決しようとする課題】
しかしながら、上記従来の解体装置は、蓋体の最外周位置を缶切り状に切断するものであるため、切断部がギザギザとなり、その部分が取り出そうとするフィルタ本体と当接してしまい、フィルタ本体をフィルタケースからうまく取り出せないものとされていた。さらにフィルタ本体はオイルにより汚れているため、こうした分解作業は作業者が敬遠し、また作業場を汚す不具合が生じていた。
【０００９】
さらに最近では、解体するオイルフィルタのフィルタケースを万力状の固定具で固定し、さらにこうして固定されたフィルタケースの蓋側部分外周にダイス状の切断具を嵌合し、該切断具をフィルタケースの軸線周りに回転させて、該外周部を切断する方法も採用されていた。しかし、こうした方法においても作業者が切断具を保持して作業を行うため、オイル汚れを伴う他、オイルで手がすべったり、固定具部分にオイルが侵入してうまく固定できないなどの不具合も発生していた。
【００１０】
本発明は、こうした従来のオイルフィルタの解体装置や解体具の不具合に着目し、作業者が手をオイルで汚したり、またオイルで周囲を汚すこともなく、使用済のオイルフィルタを効率的に解体することのできる装置を提供することを目的とするものである。
【００１１】
【課題を解決するための手段】
上記目的を達成するため、本発明の請求項１は、全体有底円筒形状とされるフィルタケースの軸線方向の一端に形成される円形の開口より、内部に全体略ボビン形状のフィルタ本体を、軸線方向がフィルタケースの軸線方向に対応するように挿入して収容させ、該開口を全体略円形で中心にオイルの吐出口を、その周部にオイルの吸入口を備えた蓋体で閉塞してなるオイルフィルタで、その使用済のものを解体するためのオイルフィルタの解体装置において、全体函状とされ、上面に作業部を、内部下方に解体されるオイルフィルタを収容可能とする収容部をそれぞれ備え、作業部上面には下方に収容部を臨む状態で形成される開口部を備える筺体と、筺体上部の開口部に、収容部に対向する方向に回動可能に指示され、収容部への対向側に解体前のオイルフィルタの一端蓋体側を保持可能とする保持部を備え、収容部に対する離隔方向である一側への回動状態における回動端において、上記保持部は開口部より上方に露出され、この状態で保持部に対して解体前のオイルフィルタを保持させるとともに、収容部に対する近接方向である他側への回動状態における回動端において、オイルフィルタを保持する保持部は筺体の内部の収容部に対向する状態で臨み、オイルフィルタは蓋体の対向部を下方とする状態で開口より下方のレベルに位置決め可能とする回動ホルダと、筺体内部において、上記回動ホルダが他側へ回動される回動端において、保持部に保持される解体前のオイルフィルタの蓋体下方位置に対向する状態で配置され、該回動端において位置決めされたオイルフィルタの蓋体下方位置におけるフィルタケースを周方向に切断し、フィルタケースの該切断部分より下方並びに内部に収容されるフィルタ本体を筺体内部の収容部へ落下させ、収容可能とする切断装置と、を備えることとしてなるオイルフィルタの解体装置としたものである。
【００１２】
また請求項２では、回動ホルダにおける保持部は、フィルタケースの軸線方向一端側の蓋体中心に形成されるオイルの吐出口に挿入され、オイルフィルタの全体を保持可能とする挿入シャフトを備える請求項１に記載のオイルフィルタの解体装置としている。
【００１３】
また請求項３では、回動ホルダは筺体上部の開口部を、他側への回動状態における回動端で少なくともその一領域を閉め、一方、一側への回動状態における回動端で筺体上面の作業部より立ち上がる板状体とされ、保持部は板状体の他側への回動端における下面に備えることとしてなる請求項１または２のいずれかに記載のオイルフィルタの解体装置としている。
【００１４】
また請求項４では、切断装置は、回動ホルダが他側へ回動される回動端において、保持部に保持される解体前のオイルフィルタの蓋体下方位置に対向する位置に回転刃を備えるカッタとされ、保持部に保持される状態で位置決めされるオイルフィルタはカッタの回転刃と相対的に接離し、かつカッタの回転刃とオイルフィルタはフィルタケースの軸線を中心に周方向に相対的に回転可能とされるものである請求項１ないし３のいずれかに記載のオイルフィルタの解体装置としている。
【００１５】
また請求項５では、回動ホルダは筺体上部の開口部に、収容部に対向する方向に回動可能に支持される支持体と、支持体に対し、支持体が他側へ回動される回動端において、カッタの回転刃に対する対向方向にスライド可能に支持され、かつ収容部に対する対向側に保持部を備えるスライド体とからなり、さらに収容部には保持するオイルフィルタをフィルタケース軸線回りに回転可能とする回転操作部を備え、回動ホルダが他側へ回動される回動端において、スライド体を支持体に対してスライドさせ、保持部に保持されるオイルフィルタをカッタの回転刃と接離可能とするとともに、カッタの回転刃に対してオイルフィルタを回転操作部によりフィルタケースの軸線を中心に周方向に回転させ、オイルフィルタの蓋体下方位置におけるフィルタケースの周方向を切断可能とする請求項４に記載のオイルフィルタの解体装置。としている。
【００１６】
また請求項６では、筺体の内部の収容部は、筺体内部に格納可能とされ、上方より解体されるオイルフィルタを落下して収容可能とする収容函とされる請求項１ないし５のいずれかに記載のオイルフィルタの解体装置としている。
【００１７】
また請求項７では、全体有底円筒形状とされるフィルタケースの軸線方向の一端に形成される円形の開口より、内部に全体略ボビン形状のフィルタ本体を、軸線方向がフィルタケースの軸線方向に対応するように挿入して収容させ、該開口を全体略円形で中心にオイルの吐出口を、その周部にオイルの吸入口を備えた蓋体で閉塞してなるオイルフィルタで、その使用済のものを解体するためのオイルフィルタの解体装置において、全体函状とされ、上面に作業部を、内部下方に解体されるオイルフィルタを収容可能とする収容部をそれぞれ備え、作業部上面には下方に収容部を臨む状態で形成される開口部を備える筺体と、筺体上部の開口部に、収容部に対向する方向に回動可能に指示され、収容部への対向側に解体前のオイルフィルタの一端蓋体側を保持可能とする保持部を備え、収容部に対する離隔方向である一側への回動状体における回動端において、上記保持部は開口部より上方に露出され、この状体で保持部に対して解体前のオイルフィルタを保持させるとともに、収容部に対する近接方向である他側への回動状態における回動端において、オイルフィルタを保持する保持部は筺体の内部の収容部に対向する状態で臨み、オイルフィルタは蓋体の対向部を下方とする状態で開口より下方のレベルに位置決め可能とする回動ホルダと、筺体内部において、上記回動ホルダが他側へ回動される回動端において、保持部に保持される解体前のオイルフィルタの蓋体下方位置に対向する状態で配置され、該回動端において位置決めされたオイルフィルタの蓋体下方位置におけるフィルタケースを周方向に切断し、フィルタケースの該切断部分より下方並びに内部に収容されるフィルタ本体を筺体内部の収容部へ落下させ、収容可能とする切断装置と、を備えるとともに、作業部の上面には、収容部に収容された全体略ボビン形状からなるフィルタ本体を、その軸線を略水平方向に対応させる状態で載置し、位置決めする載置部と、載置部の上方に配設され、載置部に載置し、位置決めされるフィルタ本体のうち、軸線方向に沿ってその中心に配設され、複数の孔を備える多孔管体の外周に配設され、多孔管体の軸線方向各端部に取着される円形の支持板にそれぞれ結合されるろ材の該結合部に向けて、切断刃を昇降させ、ろ材を支持板並びに多孔管体より分離可能とするろ材切断装置と、を備えることとしてなるオイルフィルタの解体装置としている。
【００１８】
【発明の実施の形態】
以下、本発明の一実施形態に係るオイルフィルタの解体装置を図１ないし図１０に基づいて説明する。先ず、実施形態に係る解体装置を説明する前に、一般的な自動車のオイルフィルタで、実施形態に係る解体装置で解体を行うオイルフィルタの概要を図８ないし図１０に基づき説明する。
【００１９】
オイルフィルタ１は、図９に示すように全体有底円筒形状からなる金属製のフィルタケース２を備える。フィルタケース２の軸線方向（Ｘ方向）の一端の円形の開口３からは、その内部に全体略ボビン形状のフィルタ本体４がその軸線方向（Ｘ方向）を、ケース２の軸線方向（Ｘ方向）に対応させる状態で矢印方向に挿入され、収容される。
【００２０】
フィルタ本体４は、軸線方向（Ｘ方向）に沿って、その中心に金属製の多孔管体５が配設され（図１０参照）、さらに多孔管体５の軸線方向（Ｘ方向）各端部には、金属製の円形の支持板６がそれぞれ取着され、全体ボビン形状とされる。さらに多孔管体５の軸回り外周には波形状に折り畳まれて、管体５回りで放射方向に突出される紙製のろ材７が配設される（図９参照）。
【００２１】
該ろ材７は、軸線方向（ｘ方向）での各端部を接着剤を用いて支持板６に密接に結合されるようにしている。こうして形成されるフィルタ本体４は、フィルタケース２の内部に収容される状態で開口３を円形で金属製からなる蓋体８により閉塞される。閉塞はケース２に対して溶着等の方法により行われる。蓋体８は中心にオイルの吐出口９が備えられ、該吐出口９はケース２に収容されるフィルタ本体４の一端部における多孔管体５（支持板６に形成される孔）に密着される。また蓋体８の吐出口９の周部には複数（実施形態では６つ）の吸入口１０が備えられる。
【００２２】
こうして形成される図８に示すオイルフィルタ１は、自動車においてのオイル循環路において、吸入口１０をオイルの排出側に、吐出口９をオイルの供給側に接続し、セットされる。吸入口１０から吸入されるオイルは、フィルタケース２の内部の外周側へ流入され、続いてフィルタ本体４のろ材７を透過されて浄化され、多孔管体５内へと流入されることとなる。さらに多孔管体５内へ流入されたオイルは、吐出口９からケース２外へ吐出され、オイル循環路における供給側へと浄化された状態で流出されることとなる。
【００２３】
オイルフィルタ１は、長い期間使用するとろ材７において目詰まりが生じるため、走行距離、使用期間に応じて交換が行われる（通常は車検や整備時に交換）。
【００２４】
交換された後の使用済のオイルフィルタ１は、図１に示す解体装置１１により解体が行われ、次に解体装置１１について説明する。解体装置１１は全体函状とされ、上面に作業部１２を、内部下方に解体されるオイルフィルタ１を収容可能とする収容部１３を備えた筺体１４を備える。筺体１４は下面にキャスタ１５を備えてなり、床面上を移動可能とされる。筺体１４の前面には開閉扉１６が備えられ、図１に示すように開閉扉１６を開けることで収容部１３を前面側から臨むことができる。
【００２５】
開閉扉１６を開けた筺体１４の前面側からは、収容部１３内に格納される収容函１７が矢印方向（図１参照）に出入れ可能とされる。この収容函１７には筺体１４の上面の作業部１２にて解体されるオイルフィルタ１を該作業部１２から、筺体１４の格納時において上方より落下して収容することを可能としており、筺体１４の作業部１２の手前側には作業部において解体されるオイルフィルタ１を収容部１３へ落下させるための開口部１８が形成される。すなわち、作業部１２においては、開口部１８を通じて、筺体１４の内部の収容部１３（具体的には格納される収容函１７内）が臨まれる状態となる。
【００２６】
作業部１２において、手前側に形成される平面横長の長方形状の開口部１８には、正面矢印Ａ方向から観て（図１参照）、Ｌ字状をなす板状の回動ホルダ１９が備えられる。回動ホルダ１９はＬ字状のコーナ部を開口部１８に形成される軸支持部２０に軸支され、該軸支部２０を中心に矢印θ方向に回動可能とされる。すなわち回動ホルダ１９は図１に示す一側の回動端と、図２に示す他側の回動端の間で矢印θ方向に回動可能とされる。回動ホルダ１９は、図１および図２に示すように軸支持部２０に軸支され、正面Ｌ字形状をなす支持フレーム２１（支持体）と、同じく正面Ｌ字状とされ、支持フレーム２１の枠内に配設されて支持フレーム２１に対し、矢印Ｂ方向にスライド可能に支持されるスライド体２２とにより構成される（図１参照）。
【００２７】
正面Ｌ字状をなす回動ホルダ１９の一側片１９Ａの上面には、支持フレーム２１上に突出形成される軸受２３に螺合され、先端部をスライド体２２の上面に形成される突出部２４に遊支されるスクリューシャフト２５が配設される。スクリューシャフト２５の手前側にはハンドル２６が取着され、該ハンドル２６を回動することによりスクリューシャフト２５が回動し、スライド体２２を支持フレーム２１に対して矢印Ｂ方向にスライドさせることが可能となる。
【００２８】
一方、回動ホルダ１９の他側片１９Ｂのスライド体２２における上面中心には、歯車２７が配設され、この歯車２７はスライド体２２を上下に貫通する支軸２８に軸支される（図２参照）。歯車２７はスライド体２２の上面に支持される軸受２９に支承され、矢印方向に回動可能な回動シャフト３０に支着されるウォームギヤ３１が噛合される。回動シャフト３０の手前側には図２に示すように回転操作部としての操作ハンドル３２が取着され、該ハンドル３２を回動操作することにより、ウォームギヤ３１を回動し、これにより歯車２７を矢印方向に回動させることができる。この結果、上下に貫通する支軸２８についても回動可能となる（図６、図７参照）。
【００２９】
他側片１９Ｂのスライド体２２の下面側には、上記上方から貫通する支軸２８と結合されるオイルフィルタの保持部３３が備えられる（図１参照）。保持部３３は円板状の回動プレート３３Ａの中心に支軸２８と連結される挿入シャフト３３Ｂを備えるものとされる（図７参照）。
【００３０】
このように、回動ホルダ１９の板状をなす他端片１９Ｂの下面には、保持部３３が備えられ、該保持部３３は筺体１４内の収容部１３と近接し、対向する回動ホルダ１９の回動状態における回動端において（図２参照）、開口部１８よりも下方のレベルに位置決めされ、さらに収容部１３の収容函１７と対向して収容函１７内を下方に臨む状態とされる。この際、板状をなす回動ホルダ１９の他側片１９Ｂは、図２に示すように開口部１８における正面右側の一領域を閉めるように設定される。
【００３１】
一方、回動ホルダ１９の他側片１９Ｂの下面の保持部３３が、収容部１３と離隔する一側への回動状態における回動端においては（図１、図３参照）、該保持部３３が開口部１８よりも上方で、開口部１８に対して角度９０度、立ち上がる状態に位置決めされ、保持部３３が開口部１８の上方で作業部１２上に露出されることとなる。この際、板状をなす回動ホルダ１９の一側片１９Ａは、図１に示すように開口部１８における正面左側の領域を閉塞し、かつ開口部１８の正面右側の領域が開口されるよう設定される。
【００３２】
図１に示すように保持部３３が上方に立ち上がる回動ホルダ１９の一側へ回動される回動端において、保持部３３の挿入シャフト３３Ｂにオイルフィルタ１の吐出口９に挿入させる状態でオイルフィルタ１の全体を保持部３３に保持させるようにする。この際、保持部３３の回動プレート３３Ａはオイルフィルタ１の蓋体８の部分を支持することとなり（図３参照）、この状態においてオイルフィルタ１はその軸線方向（Ｘ方向）を水平状態となるよう設定している。なお、オイルフィルタ１を保持部３３に保持させる状態においては、ハンドル２６を回動操作し、支持フレーム２１に対してスライド体２２を筺体１４の手前側のスライド端にスライドさせるように設定する。
【００３３】
こうして保持部３３にオイルフィルタ１に保持された状態において、回動ホルダ１９を他側に回動し、図２に示す回動端まで回動させると、保持部３３に保持されるオイルフィルタ１は蓋体８の部分を上方にし、蓋体８の対向部を下方にして、その軸線方向（Ｘ方向）を鉛直方向に対応させる状態で筺体１４内の収容部１３の上方（詳しくは収容函１７の上方）に位置決めされることとなる（図６参照）。
【００３４】
筺体１４の内部の正面奥側において、上記回動ホルダ１９が他側へ回動される回動端（図２に示す状態）における保持部３３の対向位置には、切断装置としてのカッタ３４が配設される。カッタ３４は、作業部１２に支持されるモータフレーム３５にモータ３６を取着して構成され、該モータ３６の回転軸３７を筺体１４の内部上方に位置させるようにしている。そしてこの回転軸３７には回転刃３８が軸支され、該回転刃３８は図２に示す回動ホルダ１９の回動端において、保持部３３に保持されるオイルフィルタ１の軸線方向（Ｘ方向）と交差する水平方向に配置される。すなわちカッタ３４の回転刃３８は、モータ３６の駆動により保持部３３に保持され、対向位置に位置決めされるオイルフィルタ１（回動ホルダ１９の図２に示す回動端において、図６に示す位置決め状態）の蓋体８の下方位置のフィルタケース２と対向し、当該フィルタケース２の周方向を切断可能とするものである（図８の矢印に示す回転刃３８の対向位置）。
【００３５】
フィルタケース２の周方向の切断は、回転刃３８に対し保持部３３に保持されるオイルフィルタ１を図６の矢印に示すように近接するようにして行われ、該近接はハンドル２６を回動操作し、支持フレーム２１に対してスライド体２２を筺体１４の奥側にスライドさせるようにして行われる。さらに回転操作部としての操作ハンドル３２についても回動操作し、回動シャフト３０→ウォームギヤ３１→歯車２７→支軸２８へと回動力を伝達させて、回動プレート３３Ａ並びに挿入シャフト３３Ｂからなる保持部３３の全体をオイルフィルタ１の軸線（Ｘ）回りに回転させるようにする。この結果、回転される回転刃３８は保持部３３に保持されてＸ軸回りに回転するオイルフィルタ１のフィルタケース２０を、周方向に切断することが可能となる。
【００３６】
こうして蓋体８の下方位置におけるフィルタケース２の周方向全体が切断されると、図７に示すように切断されたフィルタケース２の下方、並びにフィルタケース２内に収容されていたフィルタ本体４が筺体１４内の下方の収容部１３内に配設される収容函１７に、自重により落下・収容されることとなる。そして保持部３３には、オイルフィルタ１の蓋体８とこれに結合されるフィルタケース２の切断部上方が僅かに保持される状態となり（図７参照）、この部分は図４に示すように回動ホルダ１９を再び一側の回動端に回動させ、図４の矢印方向に保持部３３から離脱させることにより、保持を解除することができる。保持を解除された該蓋体８の部分については、そのまま開口部１８から下方の収容函１７内に落下させ、収容させることができる。なお、こうしたカッタ３４による切断作業を行い、回動ホルダ１９を図４に示す回動端へ回動させる際には、ハンドル２６を先とは逆方向に回動操作し、スライド体２２を支持フレーム２１に対して筺体１４の手前側にスライドさせるようにする。
【００３７】
こうして解体され、収容函１７内に落下・収容されたオイルフィルタ１は、開閉扉１６を開けて一旦フィルタ本体４のみを収容函１７から取り出すようにする。作業部１２の上面奥側には、収容函１７から取り出された全体ボビン形状からなるフィルタ本体４の軸線方向（Ｘ方向）を水平方向に対応させ、フィルタ本体４のろ材７の部分を載置可能とする正面Ｖ字形状からなる載置ブロック３９（載置部）が備えられる。
【００３８】
載置ブロック３９は、開口部１８に形成される切欠４０に、下部に備えられた突部４１を嵌合する状態で支持される。すなわち、載置ブロック３９はフィルタ本体４のサイズに基づいて様々なものが用意され、切欠４０に対して交換可能に支持させることを可能にしている。
【００３９】
載置ブロック３９が支持される作業部１２の奥側には、ろ材切断装置４２が配設される。ろ材切断装置４２は作業部１２の奥側にタワー４３を立設して構成され、該タワー４３の上方前側にはタワー４３に備えられるハンドル４４の操作により鉛直方向に昇降される昇降体４５が備えられる。昇降体４５の下端部には、載置ブロック３９の正面Ｖ字形状の前側端部と上下に対向し、正面逆Ｖ字形状をなす切断刃４６が備えられる。
【００４０】
図５に示す状態で載置ブロック３９上に支持されるフィルタ本体４は、ハンドル４４の操作により、上記昇降体４５を下降させることで、昇降体４５下端の切断刃４６により、多孔管体５の外周に配設されるろ材７のうち支持板６との結合部を図９に示す状態で切断することが可能となる。切断はハンドル４４の操作により切断刃４６を昇降させながらフィルタ本体４を軸回り（ｘ軸回り）に回転させて行われ（図９参照）、多孔管体５の各端部の支持板６とろ材７の各端部との結合部分を、こうした切断刃４６の昇降により切断し、紙製のろ材７を各支持板６並びに多孔管体５より分離するようにする。
【００４１】
こうして分離されたろ材７は、収容部１３内の収容函１７とは分別した容器に廃棄され、一方ろ材７が分離されたフィルタ本体４は、開口部１８から収容部１３内の収容函１７に落下させ、収容させることが可能となる。こうして、筺体１４内の収容函１７内には、ろ材７が切除されたフィルタ本体４、フィルタケース２、蓋体８の金属製品のみが回収されることとなり、こうした回収廃棄物については再び金属材料としてリサイクルさせることが可能となる。
【００４２】
このように実施形態に係る解体装置１１は、使用済のオイルフィルタ１を作業部１２上の作業で解体することが可能となり、上記のように紙製のろ材７を除去し、リサイクル可能な金属材を分別する状態での解体が可能となる。加えて、解体作業のうち、カッタ３４によるフィルタケース２２の切断は、オイルフィルタ１を保持部３３に保持させる状態で回動ホルダ１９を他側の回動端に回動させてモータ３６を駆動し、さらに各ハンドル２６、３２を操作することによりこうした作業を行うため、油で汚れたオイルフィルタ１を手で保持することもなく、作業を行えることとなる。さらにカッタ３４によるフィルタケース２の切断は、筺体１４の内部において、オイルフィルタ１を保持部３３に保持させて行われるため、解体されるオイルフィルタ１から漏れるオイルで周囲を汚したりすることもなく、解体されたオイルフィルタ１はそのまま作業部１２から筺体１４の収容部１３内の収容函１７に落下・収容させることが可能となる。またカッタ３４によりフィルタケース２を切断する際には、カッタ３４の周辺領域の開口部１８は、回動ホルダ１９の他側片１９Ｂで閉められることとなり、切断作業時にオイルフィルタ１から漏れたオイルが、作業部１２上に飛散することもない。
【００４３】
さらにフィルタ本体４のろ材７の除去も、作業部１２上のろ材切断装置４２により行うことが可能となり、ろ材７の除去されたフィルタ本体４は開口部１８から下方の収容函１７内に落下・収容させることができる。したがって、上記解体装置１１によれば、作業者が必要以上にオイルで手を汚したり、また作業部１２上の周囲をオイルで汚すこともなく、オイルフィルタ１を効率的に解体し、金属材料を分別回収することも可能となる。
【００４４】
上記実施形態に係る解体装置１１では、回動ホルダ１９を正面から観てＬ字形状のものとしているが平板からなる板状体とし、その下面に保持部を備えて開口部１８を開閉自在とする状態で配設することとしてもよい。
【００４５】
また実施形態では、切断装置としてのカッタ３４の回転刃３８を筺体１４内において固定配置し、各ハンドル２６、３２の操作により、回転刃３８に対してオイルフィルタ１のフィルタケース２２における蓋体８の下方位置を近接させ、かつＸ軸回りに回転させるようにしているが、回動ホルダ側でオイルフィルタ１を固定状態で保持させ、位置決めされたオイルフィルタ１に対して回転刃３８を近接自在とし、かつオイルフィルタ１の軸回りに周動させるよう切断装置を構成するようにしてもよく、要は回転刃３８をオイルフィルタ１に対して相対的に接離可能とし、かつフィルタケース２の軸線を中心に周方向に相対的に回転可能に設定させるようにすればよい。
【００４６】
さらに上記実施形態では切断装置によるフィルタケースの切断は、回転刃３８による切削で行うこととしているが、例えばレーザカッターのように、溶断するようなものでもよく、こうしたレーザカッターを位置決めされたオイルフィルタ１の軸回りに周回させ、フィルタケース２を蓋体８側から切断するようにしてもよい。
【００４７】
また上記実施形態で保持部３３は、オイルフィルタ１の吐出口９に挿入可能な挿入シャフト３３Ｂを備えることとしているが、保持部は必ずしもこのような構成にする必要はなく、例えば蓋体８の外周におけるフィルタケース２との接合部２をチャックし、保持するものであってもよい。
【００４８】
【発明の効果】
以上のように、本発明は、作業者が手をオイルで汚したり、またオイルで周囲を汚すこともなく、使用済のオイルフィルタを効率的に解体することのできる装置を提供することという効果がある。
【図面の簡単な説明】
【図１】本発明の実施形態に係るオイルフィルタの解体装置であって、回動ホルダの保持部にオイルフィルタを保持させる状態を示す斜視図である。
【図２】回動ホルダを他側へ回動させた状態を示す斜視図である。
【図３】回動ホルダを一側の回動端に位置決めさせた状態を示す斜視図である。
【図４】オイルフィルタにおけるフィルタケース、並びにフィルタ本体が解体された状態での保持部を示す斜視図である。
【図５】ろ材切断装置において、フィルタ本体を解体する状態を示す斜視図である。
【図６】カッタの回転刃によりフィルタケースを切断する状態を示す断面図である。
【図７】カッタによりフィルタケースが切断されて、解体されたフィルタ本体等が収容部に落下する状態を示す図６と同様の断面図である。
【図８】解体前のオイルフィルタの全体を示す斜視図である。
【図９】オイルフィルタの分解状態を示す斜視図である。
【図１０】フィルタ本体の構造を示す斜視図である。
【符号の説明】
１　　　オイルフィルタ
２　　　フィルタケース
３　　　開口
４　　　フィルタ本体
５　　　多孔管体
６　　　支持板
７　　　ろ材
８　　　蓋体
９　　　吐出口
１０　　吸入口
１１　　解体装置
１２　　作業部
１３　　収容部
１４　　筺体
１５　　キャスタ
１６　　開閉扉
１７　　収容函
１８　　開口部
１９　　回動ホルダ
２０　　軸支部
２１　　支持フレーム
２２　　スライド体
２３、２９　軸受
２４　　突出部
２５　　スクリューシャフト
２６、４４　ハンドル
２７　　歯車
２８　　支軸
３０　　回動シャフト
３１　　ウォームギヤ
３２　　操作ハンドル
３３　　保持部
３３Ａ　回動プレート
３３Ｂ　挿入シャフト
３４　　カッタ（切断装置）
３５　　モータフレーム
３６　　モータ
３７　　回転軸
３８　　回転刃
３９　　載置ブロック（載置部）
４０　　切欠
４１　　突部
４２　　ろ材切断装置
４３　　タワー
４５　　昇降体
４６　　切断刃
【図１】
2004001150.tif 000003
【図２】
2004001150.tif 000004
【図３】
2004001150.tif 000005
【図４】
2004001150.tif 000006
【図５】
2004001150.tif 000007
【図６】
2004001150.tif 000008
【図７】
2004001150.tif 000009
【図８】
2004001150.tif 000010
【図９】
2004001150.tif 000011
【図１０】
2004001150.tif 000012